(57)【要約】【課題】少人数であっても、支柱に梁を取付ける作業が容易で施工性に優れており、梁と支柱とを強固に連結できる簡易屋根構造物を提供する。【解決手段】支柱１０と、連結部材４０を介して支柱１０に取付けられた梁２０と、梁２０に対して母屋８０を介して後方に向けて下方に傾斜して取付けられた屋根材３０とを備えた簡易屋根構造物であって、連結部材４０は、支柱１０に固定される支柱固定部４１と、梁２０を固定する梁連結部４２とを備え、梁連結部４２は、梁２０を上方から挿入できるように左右に間隔をあけて配置した側壁部４２と、側壁部４２の前後の固定孔４４ａとを有し、梁２０は前後の貫通孔２０ｂを有し、固定孔４４ａ及び貫通孔２０ｂを挿通するボルト６１によって固定されるとともに、母屋３０は前側のボルト６１ａよりも前方で梁２０に固定されるように構成する。【選択図】  図２
2019065589.tif 000002
【特許請求の範囲】
【請求項１】
左右に間隔をあけて立設された複数の支柱と、
連結部材を介して前記支柱に取付けられた梁と、
前記梁に対して前後に間隔をあけて複数の母屋を介して後方に向けて下方に傾斜して取付けられた屋根材とを備えた簡易屋根構造物であって、
前記連結部材は、前記支柱の上端部に固定される支柱固定部と、前記支柱固定部の上方に位置して前記梁の前部を連結する梁連結部とを備え、
前記梁連結部は、前記梁を上方から挿入できるように左右に間隔をあけて配置した二個の側壁部と、前記左右の側壁部それぞれに厚さ方向に貫通する前後の固定孔とを有し、
前記梁は、径方向に貫通する前後の貫通孔を有し、前記左右の側壁部の固定孔及び該梁の貫通孔を挿通する固定具によって固定されるとともに、
前記母屋は、前記固定具よりも前方で前記梁に固定されていることを特徴とする簡易屋根構造物。
【発明の詳細な説明】
【技術分野】
【０００１】
本発明は、自転車置場、カーポート、バス停留所、シェルターなどに用いられる組立式の簡易屋根構造物に関するものである。
【背景技術】
【０００２】
従来、自転車置場、カーポート、バス停留所、シェルターなどの簡易屋根構造物については、例えば特許文献１には、断面方形状中空支柱と、支柱の上端から横方向に向かってのびる断面方形状屋根支持材と、屋根支持材により支持される屋根とを備え、支柱と各屋根支持材とがそれぞれ連結部材によって連結される組立建物において、連結部材が、屋根支持材の下面と平行な上壁と、上壁の対向縁からそれぞれ下方に向かってのびて支柱の対向側壁内面にそれぞれ当接する一対の垂直壁とを備え、連結部材を支柱上端と連結部材上壁とが面一になるように支柱上端部内に挿入するとともにねじによって各支柱に各連結部材を固定し、かつ各屋根支持材を各連結部材の上壁に載置するとともにねじによって固定した組立建物が開示されている。
【先行技術文献】
【特許文献】
【０００３】
【特許文献１】特開２００２−６１２９１号公報
【発明の開示】
【発明が解決しようとする課題】
【０００４】
ところで、このような組立建物を組み立てる時は、まず支柱を設置面に立設することが多い。これは、屋根支持材、屋根を取付けるので、その荷重を支えられる様に十分な養生期間が必要なことが多いためである。かかる従来の組立建物において、この組立手順に沿って進める場合、連結部材のみを支柱上端部内に面一で挿入することは作業性が悪く、一方で連結部材に屋根支持材を取付けて作業する場合は、屋根支持材を持ち上げた状態で連結部材を支柱上端部内に挿入する必要があるため、作業が大掛かりとなって少人数では作業が難しいものであった。
【０００５】
本発明は、前記の如き問題点を解消し、少人数であっても、支柱に梁を取付ける作業が容易で施工性に優れており、梁と支柱とを強固に連結できる簡易屋根構造物を提供するものである。
【課題を解決するための手段】
【０００６】
上記目的を達成するために、本発明は次のような構成としている。
すなわち本発明に係る簡易屋根構造物は、左右に間隔をあけて立設された複数の支柱と、連結部材を介して前記支柱に取付けられた梁と、前記梁に対して前後に間隔をあけて複数の母屋を介して後方に向けて下方に傾斜して取付けられた屋根材とを備えた簡易屋根構造物であって、前記連結部材は、前記支柱の上端部に固定される支柱固定部と、前記支柱固定部の上方に位置して前記梁の前部を連結する梁連結部とを備え、前記梁連結部は、前記梁を上方から挿入できるように左右に間隔をあけて配置した二個の側壁部と、前記左右の側壁部それぞれに厚さ方向に貫通する前後の固定孔とを有し、前記梁は、径方向に貫通する前後の貫通孔を有し、前記左右の側壁部の固定孔及び該梁の貫通孔を挿通する固定具によって固定されるとともに、前記母屋は、前記固定具よりも前方で前記梁に固定されていることを特徴とするものである。
【発明の効果】
【０００７】
本発明によれば、支柱に対する梁の固定作業が容易となり、しかも、屋根材上に積雪した場合等、通常より大きい荷重がかかっても、梁に変形が生じにくい。
【図面の簡単な説明】
【０００８】
【図１】本発明に係る簡易屋根構造物の実施の一形態を示す正面図である。
【図２】図１の簡易屋根構造物の側面図である。
【図３】図１の簡易屋根構造物の屋根材の一部を切り欠いた平面図である。
【図４】図２の梁の後部付近の説明図である。
【図５】図４のＡ−Ａ断面における概略拡大断面図である。
【図６】図４の主要部の分解説明図である。
【図７】図４のＢ−Ｂ断面における概略拡大断面図である。
【図８】図２の梁の前部付近の説明図である。
【図９】図８の分解説明図である。
【図１０】図８のＣ−Ｃ断面における概略拡大断面図である。
【図１１】図８のＤ−Ｄ断面における概略拡大断面図である。
【図１２】図２の梁の前部の拡大側面図である。
【図１３】図１２の主要部の分解説明図である。
【図１４】本発明に係る簡易屋根構造物の梁の取付構造を示す分解説明図である。
【図１５】本発明に係る簡易屋根構造物の梁の取付構造を示す別の分解説明図である。
【図１６】本発明に係る簡易屋根構造物の梁の取付構造を示す別の分解説明図である。
【図１７】本発明に係る簡易屋根構造物の屋根材の取付構造を示す説明図である。
【発明を実施するための形態】
【０００９】
次に、本発明を実施するための最良の形態について図面を参照し、具体的に説明する。
図１〜３は、本発明に係る簡易屋根構造物の実施の一形態を示す説明図であって、図１は正面図、図２は側面図、図３は屋根材の一部を切り欠いた平面図である。図１〜３に示された簡易屋根構造物Ｐは、支柱１０と、支柱１０に取付けられた梁２０と、梁２０に取付けられた屋根材３０とを備え、梁２０は連結部材４０を介して支柱１０に連結され、屋根材３０は母屋８０を介して梁２０に取付けられたものである。
【００１０】
支柱１０は円筒状の鋼管を適宜長さに切断して作製され、下端部が設置面に埋設されており、本形態では、左右方向に間隔をあけて二個立設されている。支柱１０は、強度的に安定しておりコストの安い鋼管が好適に用いられるが、鋼管に限るものではなく、アルミニウム合金型材、ステンレス鋼管でもよい。また、支柱１０は、角パイプ状のものを用いても良い。
【００１１】
梁２０は、支柱１０と同様に円筒状の鋼管を適宜長さに切断して作製され、支柱１０と同様に強度的に安定しておりコストの安い鋼管が好適に用いられるが、鋼管に限るものではなく、アルミニウム合金型材、ステンレス鋼管でもよい。
【００１２】
支柱１０の後側には、後側連結材５０を介して梁２０の後部が取付けられた後側支柱１１が立設されている。すなわち本形態では、前後に間隔をあけて立設された支柱１０と後側支柱１１の間に、連結部材４０及び後側連結材５０を介して梁２０が連結されている。後側支柱１１は、支柱１０と同様に円筒状の鋼管を適宜長さに切断して作製され、鋼管が好適に用いられる。
【００１３】
次に、後側連結材５０を介した後側支柱１１に対する梁２０の取付構造について、更に詳しく説明する。図４は図２の梁の後部付近の説明図、図５は図４のＡ−Ａ部の概略拡大断面図、図６は図４の連結部材付近の分解説明図、図７は図４のＢ−Ｂ部の要部拡大断面図である。
【００１４】
後側連結材５０は、図４に示すように、後側支柱１１の上端部に固定される支柱固定部５１と梁２０の後部が連結される梁連結部５２とを備えている。
【００１５】
支柱固定部５１は、図５，図６に示すように、後側支柱１１を挿入できるように左右に間隔をあけて配置した固定部５３，５３と後側支柱１１の外周面の形状に合わせて形成された支持部５４とを有しており、後側支柱１１に設けられた左右に貫通する貫通孔１１ａと各固定部５３，５３に設けられた固定孔５３ａとを挿通するボルト６０とナット７０とを介して、後側支柱１１に固定される。
【００１６】
梁連結部５２は、図６，図７に示すように、梁２０を上方から挿入できるように左右に間隔をあけて配置した側壁部５５，５５と、側壁部５５，５５の間に設けられて梁２０の外周面に沿って下向きに凹んだ凹部５６とを備えており、梁２０を左右に貫通する貫通孔２０ａと各側壁部５５，５５に設けられた連結孔５５ａとを挿通するボルト６０とナット７０とを介して、梁２０を連結している。
【００１７】
本形態の後側連結材５０は、図６に示すように、左右勝手違いの二個の連結片５７を備えたものである。また、本形態では、後側支柱１１と梁２０の外径が同じであるため、１個の連結片５７を反転させて、組み合わせることにより、後側連結材５０を形成することができるので、左右別々の形状の連結片５７を準備する必要がなくなる。
【００１８】
次に、連結部材４０を介した支柱１０に対する梁２０の取付構造について、更に詳しく説明する。図８は図２の梁の前部付近の説明図、図９は図８の分解説明図、図１０は図８のＣ−Ｃ断面における概略拡大断面図、図１１は図８のＤ−Ｄ断面における概略拡大断面図である。
【００１９】
連結部材４０は、図８に示すように、支柱１０の上端部に固定される支柱固定部４１と梁２０の前部を連結する梁連結部４２とを備えている。
【００２０】
支柱固定部４１は、図９，図１０に示すように、支柱１０を挿入できるように支柱１０の外周面の形状に合わせて形成された一対の固定壁部４３，４３を備えており、支柱１０に設けられた左右方向である径方向に貫通する貫通孔１０ａと各固定壁部４３，４３に設けられた固定孔４３ａ，４３ａとを挿通する固定具としてのボルト６１とナット７１とを介して支柱１０に固定される。
【００２１】
梁連結部４２は、図９，図１１に示すように、梁２０を上方から挿入できるように左右に間隔をあけて配置した側壁部４４，４４を備えており、梁２０を左右に貫通する貫通孔２０ｂと各側壁部４４，４４に設けられて側壁部４４の厚さ方向に貫通する連結孔４４ａとを挿通するボルト６１とナット７１とを介して梁２０を連結する。本形態では、図９に示すように、連結部材４０は、左右一対の連結片４５を備えたものである。
【００２２】
次に、梁２０に対する屋根材３０の取付構造について詳しく説明する。図１２は梁の前部付近の拡大側面図、図１３は図１２の主要部の分解説明図である。梁２０上には、図２に示すように、前後に間隔をあけて三本取付けられている。
【００２３】
母屋８０は、図１２に示すように、本形態では、側面視略縦長矩形状の中空体であって、母屋８０の下面部８１は、長手方向である左右方向に沿って一部切欠かれた切欠部８２を有している。切欠部８２は、ボルト６２のねじ部６２ａの通過を許容するが、ボルト６２の頭部６２ｂは通過できない幅寸法となされている。母屋８０が取付けられる梁２０は、上下方向に貫通する貫通孔２０ｃを有しており、頭部６２ｂを母屋８０の内部に配置し、ねじ部６２ａを切欠部８２及び貫通孔２０ｃに挿通し、梁２０の下側からねじ部６２ａの先端部にナット７２を螺合することで、母屋８０を梁２０上に取付ける。なお、他の母屋８０も同様な構造で取付けられているため、詳しい説明は省略する。
【００２４】
ここで、図１３に示すように、梁連結部４２の側壁部４４は、前後に間隔をあけて二個の連結孔４４ａを有しており、梁２０の前部も前後に間隔をあけて二個の貫通孔２０ｂを有しており、それぞれにボルト６１ａ、６１ｂが挿通されている。すなわち、梁２０の前部において、ボルト６２が最も前側に位置しており、その後側に二個のボルト６１ａ、６１ｂが位置している。
【００２５】
これにより、屋根材３０上に積雪があった際、その荷重は母屋８０を通じて梁２０に作用する。本形態では、屋根材３０は後方に向けて下方に傾斜して配置されており、後側の母屋８０ほど大きな荷重が作用するため、梁２０は、ボルト６１ｂより後側は下向きに、前側は相対的に上向きに変形するように作用する。
ここで、本形態のごとく支柱１０の上方に隙間をあけて梁２０が取付けられていると、ボルト６１が一個のみの場合は、梁２０が支柱１０の上端に接するまで変形を許容するが、本形態のようにボルト６１を二個用いることによって、梁２０はボルト６１ａ、６１ｂの間においては、支柱１０との隙間が狭くなるような変形が生じにくい。
一方、本形態の構造により、上記の様な荷重が作用すると、ボルト６１ｂ付近を支店として、支柱１０の下側が前方に移動する様に作用するが、ボルト６２を介してボルト６１ａより前側の梁２０は下方に押さえられるので支柱１０の上記の移動を打ち消すように作用する。
【００２６】
したがって、これらの構造により、屋根材３０から下向きに大きな荷重がかかっても、支柱１０や梁２０に対する上記に記載の不具合は起こりにくくなる。
【００２７】
次に、本発明に係る簡易屋根構造物Ｐの組立構造について詳しく説明する。図１４〜図１６は梁の取付構造を示す分解説明図、図１７は屋根材の取付構造を示す説明図である。まず、支柱１０と後側支柱１１との間に梁２０を取付ける際の取付構造について説明する。まず、支柱１０の上部に連結部材４０を取付け、後側支柱１１の上部に後側連結材５０を取付ける。
【００２８】
続いて、梁２０を連結部材４０及び後側連結材５０の上方からＹ１方向に移動し、梁連結部４２の側壁部４４の間に梁２０の前部を挿入し、後側連結材５０の梁連結部５２の側壁部５５の間に梁２０の後部を挿入して凹部５６の上に載置する。この際、梁２０の前部は側壁部４４の間を通過して、その下方の支柱固定部４１上に載置する。すなわち、図１５に示すように、支柱固定部４１の上部に梁２０の前部を載置可能であって、これにより、梁２０は支柱１０と後側支柱１１との間に仮設された状態となる。
【００２９】
続いて、梁２０を側壁部４４の位置まで持ち上げて、梁２０の前部において、梁２０の貫通孔（図示せず）、連結孔４４ａにボルト６１を挿通し、梁２０の後部において、梁２０の貫通孔（図示せず）、連結孔５５ａにボルト６０を挿通することにより、梁２０が所定の高さに配置された状態となり、ボルト６０，６１にナット７０，７１を螺入することによって、梁２０が梁連結部４２，５２に連結される。これにより、支柱１０と後側支柱１１との間に梁２０が取付けられる
【００３０】
これにより、梁２０を所定の高さまで持ち上げることができれば、作業者が一人であっても、上記作業手順に従って支柱１０と後側支柱１１との間に梁２０を取付けることができる。また、出荷時に予め組み立てておく必要がないため、輸送効率がよく、また現場での組立作業も容易となり好ましい。
【００３１】
続いて、図１７に示すように、予め母屋８０を取付けた屋根材３０を梁２０の上方まで持ち上げて、Ｙ２方向に移動して梁２０上に載置し、ボルトとナット（図示せず）を介して取付けることにより、簡易屋根構造物Ｐの組立が完了する。
【００３２】
以上、本発明の簡易屋根構造物について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００３３】
本発明は、自転車置場、カーポート、バス停留所、シェルターなどに用いられる簡易屋根構造物として広く利用することができる。
【符号の説明】
【００３４】
１０  支柱
１０ａ  貫通孔
１１  後側支柱
１１ａ  貫通孔
２０  梁
２０ａ、２０ｂ、２０ｃ  貫通孔
３０  屋根材
４０  連結部材
４１  支柱固定部
４２  梁連結部
４２ａ  固定孔
４３  固定壁部
４４  側壁部
４４ａ  連結孔
４５  連結片
５０  後側連結材
５１  支柱固定部
５２  梁連結部
５３  固定部
５３ａ  固定孔
５４  支持部
５５  側壁部
５５ａ  連結孔
５６  凹部
５７  連結片
６０、６１、６１ａ、６１ｂ、６２  ボルト
６２ａ  ねじ部
６２ｂ  頭部
７０、７１、７２  ナット
８０  母屋
８１  下面部
８２  切欠部
Ｐ    簡易屋根構造物
【図１】
2019065589.tif 000003
【図２】
2019065589.tif 000004
【図３】
2019065589.tif 000005
【図４】
2019065589.tif 000006
【図５】
2019065589.tif 000007
【図６】
2019065589.tif 000008
【図７】
2019065589.tif 000009
【図８】
2019065589.tif 000010
【図９】
2019065589.tif 000011
【図１０】
2019065589.tif 000012
【図１１】
2019065589.tif 000013
【図１２】
2019065589.tif 000014
【図１３】
2019065589.tif 000015
【図１４】
2019065589.tif 000016
【図１５】
2019065589.tif 000017
【図１６】
2019065589.tif 000018
【図１７】
2019065589.tif 000019